(57)【要約】【課題】目的地までの経路と関連する広告情報を、当該経路とともに地図上に見やすく表示する。【解決手段】広告情報提供装置は、端末装置から出発地座標情報及び目的地座標情報を受け取り、出発地から目的地までの経路を示す経路情報を作成する。また、広告情報提供装置は、経路情報に基づいて広告情報を抽出し、端末装置へ送信する。よって、端末装置では、出発地から目的地までの経路に関連する広告情報を表示することができる。【選択図】図８
2014102846.tif 000002
【特許請求の範囲】
【請求項１】
端末装置と通信可能な情報提供装置であって、
目的地に誘導するための経路の一部を含む第一のエリア内に位置する施設の情報である第一の施設情報と、前記第一のエリアと異なり、かつ前記経路の他の一部を含む第二のエリア内に位置する施設の情報である第二の施設情報と、を抽出する抽出手段と、
前記第一の施設情報と、前記第二の施設情報とを前記端末に送信する送信手段と、
を有することを特徴とする情報提供装置。
【請求項２】
前記施設情報は、施設の広告情報であることを特徴とする請求項１に記載の情報提供装置。
【請求項３】
前記抽出手段は、第二の施設情報として、前記第一の施設情報に関連する施設の情報を抽出することを特徴とする請求項１又は２に記載の情報提供装置。
【請求項４】
前記第一の施設情報と前記第二の施設情報との関連性を示すコメント情報を作成する作成手段を有し、
前記送信手段は、前記コメント情報を前記端末へ送信することを特徴とする請求項１乃至３のいずれか一項に記載の情報提供装置。
【請求項５】
端末装置と通信可能な情報提供装置によって実行される情報提供方法であって、
目的地に誘導するための経路の一部を含む第一のエリア内に位置する施設の情報である第一の施設情報と、前記第一のエリアと異なり、かつ前記経路の他の一部を含む第二のエリア内に位置する施設の情報である第二の施設情報と、を抽出する抽出工程と、
前記第一の施設情報と、前記第二の施設情報とを前記端末に送信する送信工程と、
を有することを特徴とする情報提供方法。
【請求項６】
コンピュータを有し、端末装置と通信可能な情報提供装置によって実行される情報提供プログラムであって、
目的地に誘導するための経路の一部を含む第一のエリア内に位置する施設の情報である第一の施設情報と、前記第一のエリアと異なり、かつ前記経路の他の一部を含む第二のエリア内に位置する施設の情報である第二の施設情報と、を抽出する抽出工程と、
前記第一の施設情報と、前記第二の施設情報とを前記端末に送信する送信工程と、
を前記コンピュータに実行させることを特徴とする情報提供プログラム。
【請求項７】
施設情報を提供する装置と通信可能な端末装置であって、
目的地に誘導するための経路の一部を含む第一のエリア内に位置する施設の情報である第一の施設情報と、前記第一のエリアと異なり、かつ前記経路の他の一部を含む第二のエリア内に位置する施設の情報である第二の施設情報と、を受信する受信手段と、
前記第一の施設情報と、前記第二の施設情報とを同時に表示する表示手段と、
を有することを特徴とする端末装置。
【請求項８】
施設情報を提供する装置と通信可能な端末装置によって実行される情報表示方法であって、
目的地に誘導するための経路の一部を含む第一のエリア内に位置する施設の情報である第一の施設情報と、前記第一のエリアと異なり、かつ前記経路の他の一部を含む第二のエリア内に位置する施設の情報である第二の施設情報と、を受信する受信工程と、
前記第一の施設情報と、前記第二の施設情報とを同時に表示する表示工程と、
を有することを特徴とする情報表示方法。
【請求項９】
コンピュータを有し、施設情報を提供する装置と通信可能な端末装置によって実行される情報表示プログラムであって、
目的地に誘導するための経路の一部を含む第一のエリア内に位置する施設の情報である第一の施設情報と、前記第一のエリアと異なり、かつ前記経路の他の一部を含む第二のエリア内に位置する施設の情報である第二の施設情報と、を受信する受信工程と、
前記第一の施設情報と、前記第二の施設情報とを同時に表示する表示工程と、
を前記コンピュータに実行させることを特徴とする情報表示プログラム。
【発明の詳細な説明】
【技術分野】
【０００１】
本発明は、広告情報を提供する方法に関する。
【背景技術】
【０００２】
Ｗｅｂを利用した地図情報提供システムや車両用ナビゲーション装置として、地図情報を表示するとともに、地図上に広告の対象となる施設などを表示するものが知られている。例えば、特許文献１には、車載用ナビゲーション装置において、現在位置を中心とする所定範囲内の広告をディスプレイに表示することが記載されている。特許文献２には、車載用ナビゲーション装置において、現在位置から目的地までの経路を計算し、その近傍に位置する店や施設の広告情報を表示することが記載されている。また、特許文献３及び４には、Ｗｅｂを利用した地図情報提供システムにおいて、設定されたルートに沿って広告を表示することが記載されている。
【先行技術文献】
【特許文献】
【０００３】
【特許文献１】特開平１１−２５９０３１号公報
【特許文献２】特開２００２−１３１０６５号公報
【特許文献３】特開２００１−２１６２３６号公報
【特許文献４】特開２００６−２４２５８３号公報
【発明の開示】
【発明が解決しようとする課題】
【０００４】
目的地までの経路に関連する広告情報を表示する場合、特許文献２及び３のように広告の対象となる施設などのアイコンを地図上に表示する手法では、ユーザは広告内容を見るために各アイコンをクリックする必要がある。
【０００５】
また、特許文献４のように、出発地から目的地までの経路を示す地図上に、当該経路の近傍に属する広告情報を表示することとすると、経路の長さによっては１つの画面に表示すべき広告情報が膨大となり、広告情報が見にくくなってしまう。
【０００６】
本発明が解決しようとする課題としては、上記のものが例として挙げられる。本発明は、目的地までの経路と関連する広告情報を、当該経路とともに地図上に見やすく表示することを目的とする。
【課題を解決するための手段】
【０００７】
請求項１に記載の発明は、端末装置と通信可能な情報提供装置であって、目的地に誘導するための経路の一部を含む第一のエリア内に位置する施設の情報である第一の施設情報と、前記第一のエリアと異なり、かつ前記経路の他の一部を含む第二のエリア内に位置する施設の情報である第二の施設情報と、を抽出する抽出手段と、前記第一の施設情報と、前記第二の施設情報とを前記端末に送信する送信手段と、を有することを特徴とする。
【０００８】
請求項５に記載の発明は、端末装置と通信可能な情報提供装置によって実行される情報提供方法であって、目的地に誘導するための経路の一部を含む第一のエリア内に位置する施設の情報である第一の施設情報と、前記第一のエリアと異なり、かつ前記経路の他の一部を含む第二のエリア内に位置する施設の情報である第二の施設情報と、を抽出する抽出工程と、前記第一の施設情報と、前記第二の施設情報とを前記端末に送信する送信工程と、を有することを特徴とする。
【０００９】
請求項６に記載の発明は、コンピュータを有し、端末装置と通信可能な情報提供装置によって実行される情報提供プログラムであって、目的地に誘導するための経路の一部を含む第一のエリア内に位置する施設の情報である第一の施設情報と、前記第一のエリアと異なり、かつ前記経路の他の一部を含む第二のエリア内に位置する施設の情報である第二の施設情報と、を抽出する抽出工程と、前記第一の施設情報と、前記第二の施設情報とを前記端末に送信する送信工程と、を前記コンピュータに実行させることを特徴とする。
【００１０】
請求項７に記載の発明は、施設情報を提供する装置と通信可能な端末装置であって、目的地に誘導するための経路の一部を含む第一のエリア内に位置する施設の情報である第一の施設情報と、前記第一のエリアと異なり、かつ前記経路の他の一部を含む第二のエリア内に位置する施設の情報である第二の施設情報と、を受信する受信手段と、前記第一の施設情報と、前記第二の施設情報とを同時に表示する表示手段と、を有することを特徴とする。
【００１１】
請求項８に記載の発明は、施設情報を提供する装置と通信可能な端末装置によって実行される情報表示方法であって、目的地に誘導するための経路の一部を含む第一のエリア内に位置する施設の情報である第一の施設情報と、前記第一のエリアと異なり、かつ前記経路の他の一部を含む第二のエリア内に位置する施設の情報である第二の施設情報と、を受信する受信工程と、前記第一の施設情報と、前記第二の施設情報とを同時に表示する表示工程と、を有することを特徴とする。
【００１２】
請求項９に記載の発明は、コンピュータを有し、施設情報を提供する装置と通信可能な端末装置によって実行される情報表示プログラムであって、目的地に誘導するための経路の一部を含む第一のエリア内に位置する施設の情報である第一の施設情報と、前記第一のエリアと異なり、かつ前記経路の他の一部を含む第二のエリア内に位置する施設の情報である第二の施設情報と、を受信する受信工程と、前記第一の施設情報と、前記第二の施設情報とを同時に表示する表示工程と、を前記コンピュータに実行させることを特徴とする。
【図面の簡単な説明】
【００１３】
【図１】広告情報提供システムの概略構成を示す図である。
【図２】広告情報提供サーバの構成図である。
【図３】経路計算用情報のデータ構成を示す図である。
【図４】ノードデータのデータ構成を示す図である。
【図５】ノード及びリンクの例を示す図である。
【図６】各種データベースのデータ構成を示す図である。
【図７】広告情報提供ユニットの機能構成を示すブロック図である。
【図８】広告情報の表示例を示す図である。
【図９】第１広告情報提供処理のフローチャートである。
【図１０】変形例の広告情報提供ユニットの機能構成を示すブロック図である。
【図１１】変形例による広告情報の表示例を示す図である。
【図１２】第２広告情報提供処理のフローチャートである。
【符号の説明】
【００１４】
１１  システムバス
１２  ＣＰＵ
１３  メモリ
１４  キーボード
１５  座標指示デバイス
１６  ディスプレイ
１７  プリンタ
１８  データ記憶装置
２００  広告情報提供ユニット
【発明を実施するための最良の形態】
【００１５】
本発明の１つの観点では、端末装置と通信可能な広告情報提供装置は、電子化された地図情報を記憶する地図情報記憶手段と、施設の位置を示す施設座標情報と、前記施設に関連する広告情報とを対応付けて記憶する広告情報記憶手段と、前記端末装置から、出発地の位置を示す出発地座標情報を取得する出発地座標情報取得手段と、前記端末装置から、目的地の位置を示す目的地座標情報を取得する目的地座標情報取得手段と、前記出発地座標情報及び前記目的地座標情報に基づいて、前記地図情報を参照することで、前記出発地から前記目的地までの経路を示す経路情報を作成する経路情報作成手段と、前記経路情報に基づいて、前記広告情報記憶手段から対応する広告情報を抽出する広告情報抽出手段と、前記広告情報抽出手段が抽出した広告情報を前記端末装置に送信する送信手段と、を備えることを特徴とする。
【００１６】
上記の広告情報提供装置は、端末装置から出発地座標情報及び目的地座標情報を受け取り、出発地から目的地までの経路を示す経路情報を作成する。また、広告情報提供装置は、経路情報に基づいて広告情報を抽出し、端末装置へ送信する。よって、端末装置では、出発地から目的地までの経路に関連する広告情報を表示することができる。
【００１７】
上記の広告情報提供装置の一態様では、前記広告情報抽出手段は、前記経路情報に含まれる出発地座標情報に基づいて、前記広告情報記憶手段から、前記出発地から所定の範囲内の施設に対応する広告情報を抽出する出発地広告情報抽出手段を備える。
【００１８】
上記の広告情報提供装置の他の一態様では、前記広告情報抽出手段は、前記経路情報に含まれる目的地座標情報に基づいて、前記広告情報記憶手段から、前記目的地から所定の範囲内の施設に対応する広告情報を抽出する目的地広告情報抽出手段を備える。
【００１９】
上記の広告情報提供装置の他の一態様では、前記広告情報抽出手段は、前記経路情報に基づいて、前記広告情報記憶手段から、前記経路沿いの施設に対応する広告情報を抽出する経路広告情報抽出手段を備える。
【００２０】
上記の広告情報提供装置の他の一態様では、前記広告情報抽出手段は、前記経路情報に含まれ、前記経路全体を含む地図の中心地の位置を示す中心座標情報に基づいて、前記広告情報記憶手段から、前記中心地から所定の範囲内の施設に対応する広告情報を抽出する中心地広告情報抽出手段を備える。
【００２１】
上記の広告情報提供装置の他の一態様では、前記送信手段は、前記広告情報抽出手段が抽出した広告情報及び前記経路情報作成手段が作成した経路情報に基づいて、走行車線側の施設に対応する広告情報を優先的に表示するように設定して送信し、反対車線側の施設に対応する広告情報を補助的に表示するように設定して送信する。
【００２２】
上記の広告情報提供装置の他の一態様では、前記送信手段は、前記広告情報抽出手段が抽出した広告情報及び前記経路情報作成手段が作成した経路情報に基づいて、前記出発地との距離が短い施設に対応する広告情報から順に優先的に表示するように設定して送信する。
【００２３】
上記の広告情報提供装置の他の一態様では、前記送信手段は、前記広告情報抽出手段が抽出した広告情報及び前記経路情報作成手段が作成した経路情報に基づいて、前記目的地との距離が短い施設に対応する広告情報から順に優先的に表示するように設定して送信する。
【００２４】
上記の広告情報提供装置の他の一態様では、前記送信手段は、前記広告情報抽出手段が抽出した広告情報及び前記経路情報作成手段が作成した経路情報に基づいて、前記中心地との距離が短い施設に対応する広告情報から順に優先的に表示するように設定して送信する。
【００２５】
本発明の他の観点では、端末装置と通信可能な広告情報提供装置は、複数の地点の夫々を示す複数のノードを含み、電子化されている地図情報を記憶する地図情報記憶手段と、施設の位置を示す施設座標情報と、前記施設に関連する広告情報とを対応付けて記憶する広告情報記憶手段と、前記端末装置から、出発地の位置を示す出発地座標情報を取得する出発地座標情報取得手段と、前記端末装置から、目的地の位置を示す目的地座標情報を取得する目的地座標情報取得手段と、前記出発地座標情報及び前記目的地座標情報に基づいて、前記地図情報を参照することで、前記出発地から前記目的地までの経路を示す経路情報を作成する経路情報作成手段と、前記経路情報及び前記地図情報に基づき、前記経路の進行方向に沿って順番に基準となる基準ノードに基づく所定の範囲を切り出し、当該所定の範囲の分割地図を示す分割地図情報を作成する分割地図情報作成手段と、前記経路情報及び前記分割地図情報に基づいて、前記広告情報記憶手段から、各分割地図情報に対応する広告情報を抽出する分割広告情報抽出手段と、前記分割地図情報と、当該分割地図情報に対応する広告情報とを対応付けて前記端末装置に送信する送信手段と、を備えることを特徴とする。
【００２６】
上記の広告情報提供装置は、端末装置から出発地座標情報及び目的地座標情報を受け取り、出発地から目的地までの経路を示す経路情報を作成する。また、広告情報提供装置は、経路情報及び地図情報に基づき、経路の進行方向に沿って順番に基準となる基準ノードに基づく所定の範囲を切り出し、当該所定の範囲の分割地図を示す分割地図情報を作成する。さらに、広告情報提供装置は、分割地図情報と、当該分割地図情報に対応する広告情報とを対応付けて前記端末装置に送信する。よって、端末装置では、出発地から目的地までの経路に関連する広告情報を、分割地図の単位で表示することができる。
【００２７】
上記の広告情報提供装置の一態様では、前記分割広告情報抽出手段は、各分割地図情報に含まれ、前記基準ノードの位置を示すノード座標情報に基づいて、前記広告情報記憶手段から、前記基準ノードから所定の範囲内の施設に対応する広告情報を抽出するノード広告情報抽出手段を備える。
【００２８】
上記の広告情報提供装置の一態様では、前記分割広告情報抽出手段は、各分割地図情報に含まれ、各分割地図の中心地の位置を示す中心地座標情報に基づいて、前記広告情報記憶手段から、前記中心地から所定の範囲内の施設に対応する広告情報を抽出する中心広告情報抽出手段を備える。
【００２９】
上記の広告情報提供装置の一態様は、前記経路情報に基づいて、前記広告情報記憶手段から対応する全ての広告情報を抽出する広告情報抽出手段と、前記広告情報抽出手段が抽出した広告情報の中から、前記分割広告情報抽出手段が抽出した１つの分割地図情報に対応する広告情報に関連する広告情報であって、且つ、他の分割地図情報に対応する広告情報を抽出する付加広告情報抽出手段と、前記付加広告情報抽出手段が抽出した広告情報に基づいて付加情報を作成する付加情報作成手段と、をさらに備え、前記送信手段は、前記分割地図情報と、当該分割地図情報に対応する広告情報及び付加情報とを対応付けて前記端末装置に送信する。
【００３０】
本発明の他の観点では、端末装置と通信可能な広告情報提供装置により実行される広告情報提供方法において、前記広告情報提供装置は、電子化された地図情報を記憶する地図情報記憶部と、施設の位置を示す施設座標情報と、前記施設に関連する広告情報とを対応付けて記憶する広告情報記憶部を有しており、当該広告情報提供方法は、前記端末装置から、出発地の位置を示す出発地座標情報を取得する出発地座標情報取得工程と、前記端末装置から、目的地の位置を示す目的地座標情報を取得する目的地座標情報取得工程と、前記出発地座標情報及び前記目的地座標情報に基づいて、前記地図情報を参照することで、前記出発地から前記目的地までの経路を示す経路情報を作成する経路情報作成工程と、前記経路情報に基づいて、前記広告情報記憶部から対応する広告情報を抽出する広告情報抽出工程と、前記広告情報抽出工程が抽出した広告情報を前記端末装置に送信する送信工程と、を備える。この方法によれば、端末装置では、出発地から目的地までの経路に関連する広告情報を表示することができる。
【００３１】
本発明の他の観点では、端末装置と通信可能な広告情報提供装置により実行される広告情報提供方法において、前記広告情報提供装置は、複数の地点の夫々を示す複数のノードを含み、電子化されている地図情報を記憶する地図情報記憶部と、施設の位置を示す施設座標情報と、前記施設に関連する広告情報とを対応付けて記憶する広告情報記憶部を有しており、当該広告情報提供方法は、前記端末装置から、出発地の位置を示す出発地座標情報を取得する出発地座標情報取得工程と、前記端末装置から、目的地の位置を示す目的地座標情報を取得する目的地座標情報取得工程と、前記出発地座標情報及び前記目的地座標情報に基づいて、前記地図情報を参照することで、前記出発地から前記目的地までの経路を示す経路情報を作成する経路情報作成工程と、前記経路情報及び前記地図情報に基づき、前記経路の進行方向に沿って順番に基準となる基準ノードに基づく所定の範囲を切り出し、当該所定の範囲の分割地図を示す分割地図情報を作成する分割地図情報作成工程と、前記経路情報及び前記分割地図上方に基づいて、前記広告情報記憶部から、各分割地図情報に対応する広告情報を抽出する広告情報抽出工程と、前記分割地図情報と、当該分割地図情報に対応する広告情報とを対応付けて前記端末装置に送信する送信工程と、を備える。この方法によれば、出発地から目的地までの経路に関連する広告情報を、分割地図の単位で表示することができる。
【００３２】
本発明の他の観点では、端末装置と通信可能なコンピュータにより実行される広告情報提供プログラムは、電子化された地図情報を記憶する地図情報記憶手段、施設の位置を示す施設座標情報と、前記施設に関連する広告情報とを対応付けて記憶する広告情報記憶手段、前記端末装置から、出発地の位置を示す出発地座標情報を取得する出発地座標情報取得手段、前記端末装置から、目的地の位置を示す目的地座標情報を取得する目的地座標情報取得手段、前記出発地座標情報及び前記目的地座標情報に基づいて、前記地図情報を参照することで、前記出発地から前記目的地までの経路を示す経路情報を作成する経路情報作成手段、前記経路情報に基づいて、前記広告情報記憶手段から対応する広告情報を抽出する広告情報抽出手段、前記広告情報抽出手段が抽出した広告情報を前記端末装置に送信する送信手段、として前記コンピュータを機能させる。このプログラムをコンピュータ上で実行することにより、出発地から目的地までの経路に関連する広告情報を表示することができる。
【００３３】
本発明の他の観点では、端末装置と通信可能なコンピュータにより実行される広告情報提供プログラムは、複数の地点の夫々を示す複数のノードを含み、電子化されている地図情報を記憶する地図情報記憶手段、施設の位置を示す施設座標情報と、前記施設に関連する広告情報とを対応付けて記憶する広告情報記憶手段、前記端末装置から、出発地の位置を示す出発地座標情報を取得する出発地座標情報取得手段、前記端末装置から、目的地の位置を示す目的地座標情報を取得する目的地座標情報取得手段、前記出発地座標情報及び前記目的地座標情報に基づいて、前記地図情報を参照することで、前記出発地から前記目的地までの経路を示す経路情報を作成する経路情報作成手段、前記経路情報及び前記地図情報に基づき、前記経路の進行方向に沿って順番に基準となる基準ノードに基づく所定の範囲を切り出し、当該所定の範囲の分割地図を示す分割地図情報を作成する分割地図情報作成手段、前記経路情報及び前記分割地図情報に基づいて、前記広告情報記憶手段から、各分割地図情報に対応する広告情報を抽出する広告情報抽出手段、前記分割地図情報と、当該分割地図情報に対応する広告情報とを対応付けて前記端末装置に送信する送信手段、として前記コンピュータを機能させる。このプログラムをコンピュータ上で実行することにより、出発地から目的地までの経路に関連する広告情報を、分割地図の単位で表示することができる。
【００３４】
上記のプログラムは、記憶媒体に記憶して取り扱うことができる。
【実施例】
【００３５】
以下、図面を参照して本発明の好適な実施例について説明する。
［広告情報提供システムの概略構成］
図１に、広告情報提供システム１００の概念図を示す。本実施例では、広告情報提供システム１００は、端末装置１と、広告情報提供サーバ３とがネットワーク２を通じて接続されることにより構成される。ここで、ネットワーク２の１つの好適な例はインターネットである。
【００３６】
端末装置１は、広告情報を含むページの閲覧を要求する利用者が使用するクライアント端末である。広告情報の詳細については、後述する。具体的に、広告情報を閲覧する利用者が端末装置１を使用して、閲覧を希望する条件を入力すると、端末装置１は、入力された内容に応じた入力パラメタ（例えば、広告情報の検索条件等）を広告情報提供サーバ３へ送信するとともに、広告情報を含むページの送信要求を行う。そして、端末装置１は、広告情報提供サーバ３から広告情報を含むページを受信すると、当該広告情報を含むページを表示する。
【００３７】
広告情報提供サーバ３は、広告情報を保持し、端末装置１からの要求に応じた広告情報を検索し、当該広告情報を含むページを生成し、当該ページを端末装置１へ送信する。
【００３８】
[広告情報提供サーバ]
図２は、本発明の実施例に係る広告情報提供サーバ３の概略構成を示す図である。
【００３９】
広告情報提供サーバ３は、例えば、サーバコンピュータにより構成され、システムバス１１と、ＣＰＵ（Ｃｅｎｔｒａｌ  Ｐｒｏｃｅｓｓｉｎｇ  Ｕｎｉｔ）１２と、メモリ１３と、キーボード１４と、マウスなどの座標指示デバイス１５と、ディスプレイ１６と、プリンタ１７と、ハードディスクなどのデータ記憶装置１８と、データ通信ユニット１９とを備える。ここで、キーボード１４及び座標指示デバイス１５は、入力装置である。また、ディスプレイ１６及びプリンタ１７は、出力装置である。データ通信ユニット１９による送信は、ＵＳＢ（Ｕｎｉｖｅｒｓａｌ  Ｓｅｒｉａｌ  Ｂｕｓ）ケーブルを使用した有線送信、端子などの接触によるデータ送信など、データ通信ユニット１９から端末装置１へデータ送信が可能であれば、任意の方法を適用することができる。ＣＰＵ１２は、広告情報提供サーバ３全体を制御し、入出力装置の制御を行う。
【００４０】
ＣＰＵ１２、メモリ１３、データ記憶装置１８、データ通信ユニット１９は、システムバス１１に接続される。キーボード１４、座標指示デバイス１５、ディスプレイ１６、プリンタ１７も図示しないインタフェースを介してシステムバス１１に接続される。メモリ１３は、作業メモリとしても使用される。
【００４１】
データ記憶装置１８は、図示の通り、地図情報ＤＢ３５０と、広告基礎情報ＤＢ３６０と、表示管理情報ＤＢ３８０と、広告画像関連情報ＤＢ３９０と、画像ファイル４１０とを保持する。
【００４２】
地図情報ＤＢ３５０は、地図情報（位置情報（緯度経度情報）と、地図背景情報、道路等の形状データや、経路計算用情報）を格納するデータベースである。経路計算用情報は、出発地から目的地までの経路を示す経路情報を作成する際の経路計算に使用される情報であり、図３乃至図５を参照して詳しく説明する。図３は経路計算用情報のデータ構成を示す図であり、図４はノードデータのデータ構成を示す図である。図５は、ノード及びリンクの例である。
【００４３】
図３に示すように経路計算用情報１２４は、ノードデータ１２５及びリンクデータ１２６を含む。ノードは道路上の交差点などの所定の地点に対応し、ノードデータ１２５はノード及びそのノードを含むリンクを示すデータである。一方、リンクは交差点などにより区切られた道路の１区画に対応し、リンクデータ１２６はリンクを示すデータである。本実施例において、リンクの端点はノードであるものとする。
【００４４】
ノード及びリンクの例を図５（ａ）及び（ｂ）に示す。図５（ａ）に示す複数の道路１１１を含む地図は、図４（ｂ）に示すように複数のノード及びリンクにより構成される。なお、図４（ｂ）においては、各ノードをノードＩＤ（Ｎ００１など）で示し、各リンクをリンクＩＤ（Ｌ１０１など）で示している。図４にノードデータ１２５の構成を示す。ノードデータ１２５は、各ノードを識別するノードＩＤ毎に地理的な位置を示す座標情報（例えば、緯度経度等）と、対応するノードを端点として含むリンクを識別するリンクＩＤとを有している。リンクデータ１２６は、例えばリンクの距離、リンク上の地理的な位置を示す座標情報、リンク上の座標情報と都道府県とを対応付けた情報、リンクに対応する道路が有料道路であるか否かを示す情報などを有している。
【００４５】
広告基礎情報ＤＢ３６０は、広告基礎情報３６１を管理するデータベースである。ここで、広告基礎情報３６１のデータ構造を図６（ａ）に示す。広告基礎情報３６１は、広告を一意に識別する広告ＩＤ３６２と、広告対象の施設名称を示す施設名称３６３と、広告対象の施設のジャンルを示すジャンル３６４と、広告対象の施設の住所を示す住所３６５と、広告対象の施設の設置個所に該当する都道府県を示す都道府県３６６と、広告対象の施設の設置個所に該当する市区町村を示す市区町村３６７と、広告対象の施設の電話番号を示す電話番号３６８と、広告対象の施設の位置を示す座標情報（例えば、緯度経度等）を示す座標情報３６９と、広告用のコメントを示すコメント３７０と、広告対象の施設のホームページ（パソコン用）のＵＲＬ（Ｕｎｉｆｏｒｍ  Ｒｅｓｏｕｒｃｅ  Ｌｏｃａｔｏｒ）を示すＰＣ用ＵＲＬ３７１と、広告対象の施設のホームページ（携帯用）のＵＲＬを示す携帯用ＵＲＬ３７２と、広告対象の施設の最寄駅を示す最寄駅３７３と、広告対象の施設の住所に対応する郵便番号を示す郵便番号３７４とを有する情報である。
【００４６】
表示管理情報ＤＢ３８０は、表示管理情報３８１を管理するデータベースである。ここで、表示管理情報３８１のデータ構造を図６（ｂ）に示す。表示管理情報３８１は、広告を一意に識別する広告ＩＤ３８２と、広告情報が表示等された回数を示すインプレッション回数３８３とを有する情報である。
【００４７】
広告画像関連情報ＤＢ３９０は、広告画像関連情報３９１を管理するデータベースである。ここで、広告画像関連情報３９１のデータ構造を図６（ｃ）に示す。広告画像関連情報３９１は、広告を一意に識別する広告ＩＤ３９２と、画像ファイルの保存先を示す画像ファイル保存先情報３９３とを有する情報である。また、データ記憶装置１８は、広告情報として用いられる画像データを含む画像ファイル４１０を保持する。
【００４８】
なお、広告情報とは、広告基礎情報３６１及び当該広告基礎情報に関連する画像データを含む情報をいう。
【００４９】
[広告情報提供ユニット]
図７は、利用者が使用する端末装置１に経路情報に関連する広告情報を提供する広告情報提供ユニット２００の機能ブロック図である。広告情報提供ユニット２００は、実体的には広告情報提供サーバ３の構成要素により構成される。つまり、本実施例において広告情報提供サーバ３は、広告情報提供ユニット２００が搭載された広告情報提供装置として機能する。
【００５０】
図７に示すように、広告情報提供ユニット２００は、地図情報記憶部２１０、広告情報記憶部２１１、出発地座標情報取得部２１２、目的地座標情報取得部２１３、経路情報作成部２１４、広告情報抽出部２１５及び送信部２１６を備える。
【００５１】
地図情報記憶部２１０は、地図情報を記憶しており、実体的には地図情報ＤＢ３５０を有するデータ記憶装置１８である。地図情報記憶部２１０は、本発明における地図情報記憶手段として機能する。
【００５２】
広告情報記憶部２１１は、広告基礎情報３６１及び当該広告基礎情報に関連する画像データを含む広告情報を記憶しており、実体的には広告基礎情報ＤＢ３６０、表示管理情報ＤＢ３８０、広告画像関連情報ＤＢ３９０を有するデータ記憶装置１８である。広告情報記憶部２１１は、本発明における広告情報記憶手段として機能する。
【００５３】
出発地座標情報取得部２１２は、端末装置１から、利用者が入力した入力パラメタである出発地の位置を示す出発地座標情報（例えば、緯度経度等）を取得する。出発地座標情報取得部２１２は、本発明における出発地座標情報取得手段として機能する。
【００５４】
目的地座標情報取得部２１３は、端末装置１から、利用者が入力した入力パラメタである目的地の位置を示す目的地座標情報（例えば、緯度経度等）を取得する。目的地座標情報取得部２１３は、本発明における目的地座標情報取得手段として機能する。
【００５５】
経路情報作成部２１４は、出発地座標情報取得部２１２が取得した出発地座標情報、目的地座標情報取得部２１３が取得した目的地座標情報及び地図情報記憶部２１０に記憶されている地図情報に基づいて、出発地から目的地までの経路を示す経路情報を作成する。経路情報作成部２１４は、本発明における経路情報作成手段として機能する。
【００５６】
具体的に、経路情報作成部２１４は、リンクデータを含む経路計算用情報に基づいて、出発地から目的地までの候補経路を計算する。こうして、出発地から目的地へ至る複数の候補経路が得られると、経路情報作成部２１４は、各候補経路についてコスト計算を行い、最小コストを有する候補経路を経路に決定し、決定した経路を示す経路情報を作成する。コスト計算とは、経路計算において一般的に用いられる手法であり、リンク及びノードに予め対応付けされたコストの合計を計算することをいう。リンク及びノードに対応付けされたコストの値は、そのリンクやノードを通過する際に要する時間、道路の車線数などの各種情報に基づいて予め設定されており、渋滞度の高いリンクに対応付けされたコストの値を大きくすることで、経路情報作成部２１４は、交通規制や渋滞などを考慮した最適な経路を決定することができる。コスト計算は既知の手法であるので、その詳細な説明は省略する。
【００５７】
広告情報抽出部２１５は、経路情報作成部２１４が作成した経路情報に基づいて、広告情報記憶部２１１から対応する広告情報を抽出する。広告情報を抽出する際の方法として、例えば、出発地を基準とする方法、目的地を基準とする方法、経路を基準とする方法及び経路全体を含む地図の中心地を基準とする方法が挙げられる。広告情報抽出部２１５は、出発地広告情報抽出部、目的地広告情報抽出部、経路広告情報抽出部及び中心地経路情報抽出部を有しており、広告情報を抽出する際、いずれか１つの方法を適用することとしてもよいし、複数の方法を適用することとしてもよい。即ち、どの方法を適用するかは任意に設定することができる。
【００５８】
出発地広告情報抽出部は、具体的に、経路情報に含まれる出発地座標情報に基づいて、広告基礎情報ＤＢ３６０の座標情報３６９を参照することにより、出発地から所定の範囲内（例えば、半径５００ｍ以内）の施設に対応する広告基礎情報３６１を抽出する。続いて、出発地広告情報抽出部は、抽出した広告基礎情報３６１が有する広告ＩＤ３６２に基づいて、広告画像関連情報ＤＢ３９０を参照することにより、当該広告ＩＤ３６２と一致する広告ＩＤ３９２を有する広告画像関連情報３９１を抽出する。さらに、出発地広告情報抽出部は、広告画像関連情報３９１が有する画像ファイル保存先情報３９３に基づいて、データ記憶装置１８の画像ファイル４１０から、対応する画像データを抽出する。つまり、出発地広告情報抽出部は、経路情報に含まれる出発地座標情報に基づいて、広告情報記憶部２１１から、出発地から所定の範囲内の施設に対応する広告情報を抽出する。なお、所定の範囲は、任意に設定することができる。出発地広告情報抽出部は、本発明における出発地広告情報抽出手段として機能する。
【００５９】
目的地広告情報抽出部は、具体的に、経路情報に含まれる目的地座標情報に基づいて、広告基礎情報ＤＢ３６０の座標情報３６９を参照することにより、目的地から所定の範囲内（例えば、半径５００ｍ以内）の施設に対応する広告基礎情報３６１を抽出する。続いて、目的地広告情報抽出部は、抽出した広告基礎情報３６１が有する広告ＩＤ３６２に基づいて、広告画像関連情報ＤＢ３９０を参照することにより、当該広告ＩＤ３６２と一致する広告ＩＤ３９２を有する広告画像関連情報３９１を抽出する。さらに、目的地広告情報抽出部は、広告画像関連情報３９１が有する画像ファイル保存先情報３９３に基づいて、データ記憶装置１８の画像ファイル４１０から、対応する画像データを抽出する。つまり、目的地広告情報抽出部は、経路情報に含まれる目的地座標情報に基づいて、広告情報記憶部２１１から、目的地から所定の範囲内の施設に対応する広告情報を抽出する。なお、所定の範囲は、任意に設定することができる。目的地広告情報抽出部は、本発明における目的地広告情報抽出手段として機能する。
【００６０】
経路広告情報抽出部は、具体的に、経路情報に含まれるリンク及びノードの座標情報に基づいて、広告基礎情報ＤＢ３６０の座標情報３６９を参照することにより、経路沿いの施設に対応する広告基礎情報３６１を抽出する。続いて、経路広告情報抽出部は、抽出した広告基礎情報３６１が有する広告ＩＤ３６２に基づいて、広告画像関連情報ＤＢ３９０を参照することにより、当該広告ＩＤ３６２と一致する広告ＩＤ３９２を有する広告画像関連情報３９１を抽出する。さらに、経路広告情報抽出部は、広告画像関連情報３９１が有する画像ファイル保存先情報３９３に基づいて、データ記憶装置１８の画像ファイル４１０から、対応する画像データを抽出する。つまり、経路広告情報抽出部は、経路情報に含まれるリンク及びノードの座標情報に基づいて、広告情報記憶部２１１から、経路沿いの施設に対応する広告情報を抽出する。なお、「経路沿い」とは、例えば経路を構成するリンク及びノードから所定距離以内の領域とすることができる。経路広告情報抽出部は、本発明における経路広告情報抽出手段として機能する。
【００６１】
中心地広告情報抽出部は、具体的に、経路情報に基づいて表示される経路全体を含む地図の中心地の位置を示す中心座標情報に基づいて、広告基礎情報ＤＢ３６０の座標情報３６９を参照することにより、中心地から所定の範囲内（例えば、半径５００ｍ以内）の施設に対応する広告基礎情報３６１を抽出する。続いて、中心地広告情報抽出部は、抽出した広告基礎情報３６１が有する広告ＩＤ３６２に基づいて、広告画像関連情報ＤＢ３９０を参照することにより、当該広告ＩＤ３６２と一致する広告ＩＤ３９２を有する広告画像関連情報３９１を抽出する。さらに、中心地広告情報抽出部は、広告画像関連情報３９１が有する画像ファイル保存先情報３９３に基づいて、データ記憶装置１８の画像ファイル４１０から、対応する画像データを抽出する。つまり、中心地広告情報抽出部は、経路情報に含まれる中心地座標情報に基づいて、広告情報記憶部２１１から、中心地から所定の範囲内の施設に対応する広告情報を抽出する。なお、所定の範囲は、任意に設定することができる。中心地広告情報抽出部は、本発明における中心地広告情報抽出手段として機能する。
【００６２】
送信部２１６は、経路情報作成部２１４が作成した経路情報と、広告情報抽出部２１５が抽出した広告情報とを含むページを、ネットワーク２を介して、端末装置１に送信する。送信部２１６は、本発明における送信手段として機能する。
【００６３】
端末装置１は、表示部を備えており、広告情報提供サーバ３の送信部２１６から取得した経路情報及び広告情報に基づいて、表示部に出発地から目的地までの経路及び当該経路に関連する広告を含むページを表示する。
【００６４】
図８は、経路及び広告を表示した表示部の画面例である。具体的に端末装置１は、図８に示すように、経路情報に基づいて経路表示部６２に出発地から目的地までの経路を表示し、広告情報に基づいて広告表示部６１に経路に関連する広告を一覧表示する。図８に示す画面において、白丸（○）は経路全体を含む地図の中心地４００、白星（☆）は出発地４０１、黒星（★）は目的地４０２であり、破線の楕円内の太線は出発地から目的地までの経路である。また、「Ｃ」と記載された正方形はコンビニエンスストア５０１、５０３及び５０４であり、「Ｒ」と記載された正方形はレストラン５０２を表している。
【００６５】
広告情報に基づく広告を表示する際の優先順位を決定する方法として、例えば、走行車線を基準とする方法、出発地との距離を基準とする方法、目的地との距離を基準とする方法及び中心地との距離を基準とする方法が挙げられる。広告情報に基づく広告を表示する際の優先順位を決定する方法は、いずれか１つの方法を適用することとしてもよいし、複数の方法を適用することとしてもよい。即ち、どの方法を適用するかは任意に設定することができる。
【００６６】
走行車線を基準とする方法は、広告情報及び経路情報に基づいて、出発地から目的地までの経路における走行車線側の施設に対応する広告を優先的に表示する方法である。具体的に図８の例では、広告表示部６１に２つの広告を表示する場合、目的地４０２に向かって左側の車線が走行車線であるため、コンビニエンスストア５０１及びレストラン５０２に対応する広告情報に基づく広告を優先的に表示する。なお、広告を表示する際の優先順位を決定する方法として走行車線を基準とする方法を適用する場合、広告情報提供サーバ３の送信部２１６は、経路情報に基づいて広告情報を、走行車線側の施設に対応する広告を優先的に表示するように設定して送信する。また、広告表示部６１に一覧表示する広告の数等は任意であるため、反対車線側の施設に対応する広告を補助的に表示することとしてもよい。この場合、広告情報提供サーバ３の送信部２１６は、経路情報に基づいて広告情報を、反対車線側の施設に対応する広告を補助的に表示するように設定して送信する。
【００６７】
出発地との距離を基準とする方法は、広告情報及び経路情報に基づいて、出発地との距離が短い施設に対応する広告から順に優先的に表示する方法である。具体的に図８の例では、広告表示部６１に２つの広告を表示する場合、出発地４０１との距離が短いコンビニエンスストア５０１及び５０３に対応する広告情報に基づく広告を優先的に表示する。なお、広告を表示する際の優先順位を決定する方法として出発地との距離を基準とする方法を適用する場合、広告情報提供サーバ３の送信部２１６は、経路情報に基づいて広告情報を、出発地との距離が短い施設に対応する広告から順に優先的に表示するように設定して送信する。
【００６８】
目的地との距離を基準とする方法は、広告情報及び経路情報に基づいて、目的地との距離が短い施設に対応する広告から順に優先的に表示する方法である。具体的に図８の例では、広告表示部６１に２つの広告を表示する場合、目的地４０２との距離が短いコンビニエンスストア５０４及びレストラン５０２に対応する広告情報に基づく広告を優先的に表示する。なお、広告を表示する際の優先順位を決定する方法として目的地との距離を基準とする方法を適用する場合、広告情報提供サーバ３の送信部２１６は、経路情報に基づいて広告情報を、目的地との距離が短い施設に対応する広告から順に優先的に表示するように設定して送信する。
【００６９】
中心地との距離を基準とする方法は、広告情報及び経路情報に基づいて、経路全体を含む地図の中心地との距離が短い施設に対応する広告から順に優先的に表示する方法である。具体的に図８の例では、広告表示部６１に２つの広告を表示する場合、中心地４００との距離が短いレストラン５０２及びコンビニエンスストア５０３に対応する広告情報に基づく広告を優先的に表示する。なお、広告を表示する際の優先順位を決定する方法として中心地との距離を基準とする方法を適用する場合、広告情報提供サーバ３の送信部２１６は、経路情報に基づいて広告情報を、中心地との距離が短い施設に対応する広告から順に優先的に表示するように設定して送信する。
【００７０】
[広告情報提供処理]
次に、広告情報提供ユニット２００により、利用者が使用する端末装置１に経路情報に関連する広告情報を提供する方法について説明する。図９は、本実施例に係る広告情報提供処理のフローチャートである。なお、広告情報提供処理は、広告情報提供サーバ３が所定のプログラムを実行し、広告情報提供ユニット２００として機能することにより実行される。
【００７１】
利用者は、まず、端末装置１を使用して、入力パラメタとして出発地及び目的地を入力する。端末装置１は出発地及び目的地の指定を受け取り（ステップＳ１）、それらに対応する出発地座標情報及び目的地座標情報を広告情報提供サーバ３へ送信するとともに、広告情報を含むページの送信要求を行う（ステップＳ２）。
【００７２】
広告情報提供ユニット２００の出発地座標情報取得部２１１は、端末装置１から、利用者が入力した入力パラメタである出発地座標情報を取得する。また、目的地座標情報取得部２１２は、端末装置１から、利用者が入力した入力パラメタである目的地座標情報を取得する（ステップＳ３）。続いて、経路情報作成部２１４は、出発地座標情報取得部２１２が取得した出発地座標情報、目的地座標情報取得部２１３が取得した目的地座標情報及び地図情報記憶部２１０に記憶されている経路計算用情報に基づいて、出発地から目的地までの経路を示す経路情報を作成する（ステップＳ５）。
【００７３】
さらに、広告情報抽出部２１５は、経路情報作成部２１４が作成した経路情報に基づいて、広告情報記憶部２１１から対応する広告情報を抽出する（ステップＳ６）。広告情報を抽出する際の方法は、例えば、出発地を基準とする方法、目的地を基準とする方法及び経路を基準とする方法が挙げられ、どの方法を適用するかは任意に設定することができる。
【００７４】
続いて、広告情報抽出部２１５は、抽出した広告基礎情報３６１が有する広告ＩＤ３６２に基づいて、広告画像関連情報ＤＢ３９０を参照することにより、当該広告ＩＤ３６２と一致する広告ＩＤ３９２を有する広告画像関連情報３９１を抽出する（ステップＳ６）。さらに、広告情報抽出部２１５は、広告画像関連情報３９１が有する画像ファイル保存先情報３９３に基づいて、データ記憶装置１８の画像ファイル４１０から、対応する画像データを抽出する（ステップＳ７）。このようにして広告情報抽出部２１５は、経路情報に基づいて、広告情報記憶部２１１から広告情報を抽出し、経路情報作成部２１４が作成した経路情報と、広告情報抽出部２１５が抽出した広告情報とを含む広告情報ページ（図８参照）を作成する。
【００７５】
そして、送信部２１６は広告情報ページを、ネットワーク２を介して、端末装置１に送信する（ステップＳ８）。このとき、送信部２１６は、所定の方法により決定した優先順位を設定した広告情報及び経路情報を含むページを端末装置１に送信する。広告情報に基づく広告を表示する際の優先順位を決定する方法は、例えば、走行車線を基準とする方法、出発地との距離を基準とする方法、目的地との距離を基準とする方法が挙げられ、どの方法を適用するかは任意に設定することができる。
【００７６】
端末装置１は、表示部を備えており、広告情報提供サーバ３の送信部２１６から取得した広告情報ページに含まれる経路情報及び広告情報に基づいて、図８に示すように、表示部に出発地から目的地までの経路及び当該経路に関連する広告を含むページを表示する（ステップＳ９）。このとき、端末装置１は、表示部に経路情報に基づく経路を表示すると共に、設定された優先順位に従って広告情報に基づく広告を表示する。これにより、第１広告情報提供処理は完了する。
【００７７】
以上述べたように、本実施例の広告情報提供サーバ３によれば、経路情報に関連する広告情報を利用者が使用する端末装置１に送信することができる。よって、利用者は、端末装置１を使用して、出発地から目的地までの経路において補助的な１つの情報として、当該経路に関連する広告を閲覧することができる。さらに、広告主は、経路探索というシーンから実際に訪問（行動）するアクションに合わせた広告を露出することができるため、レスポンス効果を期待できる。また、広告代理店は利用者が探索した経路と共に当該経路に関連する広告を表示することをセールスポイントとすることができるし、経路情報の提供元は広告情報という形で集まった地点情報に基づいて検索機能といった他の機能を強化することができる。
【００７８】
なお、本実施例における広告情報提供システムは、例えば、ＰＣ用の地図及び広告表示サービスとそれを含む機器、ＰＣ以外の地図及び広告表示サービスとそれを含む機器に適用することが可能であり、ＰＣ、携帯電話、カーナビゲーション装置、デジタルＴＶ、キヨスク端末のように通信環境及び表示アプリケーションを備える機器システムであれば適用することができる。
【００７９】
[変形例]
上記の実施例において端末装置１は、図８に示すように、出発地から目的地までの経路全体を含む地図及び全経路に関連する広告を１つの画面に表示することとしている。しかし、本発明はこれに限定されるものではなく、出発地から目的地までの経路における誘導ポイントに基づく分割地図及び分割地図上の経路に関連する広告を１つの画面に表示することとしてもよい。誘導ポイントとは、経路上において右折、左折などを行う交差点など、経路誘導のポイントとなるノードのことである。
【００８０】
分割地図及び分割地図上の経路に関連する広告を１つの画面に表示する場合について、変形例として詳しく説明する。なお、上記の実施例と同様の部分についての説明は便宜上省略する。
【００８１】
まず、図１０を参照し、分割地図上の経路情報に関連する広告情報を提供する広告情報提供ユニット２５０について説明する。図１０は、広告情報提供ユニット２５０の機能ブロック図である。広告情報提供ユニット２５０は、実体的には広告情報提供サーバ３の構成要素により構成される。つまり、本実施例において広告情報提供サーバ３は、広告情報提供ユニット２５０が搭載された広告情報提供装置として機能する。
【００８２】
図１０に示すように、広告情報提供ユニット２５０は、地図情報記憶部２６０、広告情報記憶部２６１、出発地座標情報取得部２６２、目的地座標情報取得部２６３、経路情報作成部２６４、分割地図情報作成部２６５、分割広告情報抽出部２６６、広告情報抽出部２６７、付加広告情報抽出部２６８、付加情報作成部２６９及び送信部２７０を備える。
【００８３】
地図情報記憶部２６０は、地図情報を記憶しており、実体的には地図情報ＤＢ３５０を有するデータ記憶装置１８である。地図情報記憶部２６０は、本発明における地図情報記憶手段として機能する。
【００８４】
広告情報記憶部２６１は、広告基礎情報３６１及び当該広告基礎情報に関連する画像データを含む広告情報を記憶しており、実体的には広告基礎情報ＤＢ３６０、表示管理情報ＤＢ３８０、広告画像関連情報ＤＢ３９０を有するデータ記憶装置１８である。広告情報記憶部２６１は、本発明における広告情報記憶手段として機能する。
【００８５】
出発地座標情報取得部２６２は、端末装置１から、利用者が入力した入力パラメタである出発地座標情報を取得する。出発地座標情報取得部２６２は、本発明における出発地座標情報取得手段として機能する。
【００８６】
目的地座標情報取得部２６３は、端末装置１から、利用者が入力した入力パラメタである目的地座標情報を取得する。目的地座標情報取得部２６３は、本発明における目的地座標情報取得手段として機能する。
【００８７】
経路情報作成部２６４は、出発地座標情報取得部２６２が取得した出発地座標情報、目的地座標情報取得部２６３が取得した目的地座標情報及び地図情報記憶部２６０に記憶されている地図情報に基づいて、出発地から目的地までの経路を示す経路情報を作成する。経路情報作成部２６４は、本発明における経路情報作成手段として機能する。
【００８８】
分割地図情報作成部２６５は、地図情報記憶部２６０に記憶されている地図情報及び経路情報作成部２６４が作成した経路情報に基づいて、経路の進行方向に沿って順番に誘導ポイントであるノードを基準ノードとして所定の範囲（例えば、ノードから半径５００ｍ以内）を切り出し、当該所定の範囲の分割地図を示す分割地図情報を作成する。なお、所定の範囲は、任意に設定することができる。分割地図情報作成部２６５は、本発明における分割地図情報作成手段として機能する。
【００８９】
詳細は後述するが、分割地図は、図１１に示すように、当該分割地図に関連する広告と共に端末装置１の表示部に表示される。図１１は、特定のノード（誘導ポイント）を基準とした経路の一部を含む分割地図及び広告を表示した表示部の画面例である。図１１（ａ）に示す画面において、白丸（○）は分割地図７１の中心地４１０、黒丸（●）は分割地図７１の基準となるノード（ノードＩＤ：Ｎ０１２）、白星（☆）は出発地４０４であり、分割地図７１内の太線は出発地から目的地までの経路の一部である。また、「Ｃ」と記載された正方形はコンビニエンスストア６０１、「Ｒ」と記載された正方形はレストラン６０２、「Ｇ」と記載された正方形はガソリンスタンド６０３を表している。一方、図１１（ｂ）に示す画面において、白丸（○）は分割地図７２の中心地４２０、黒丸（●）は分割地図７２の基準となる基準ノード（ノードＩＤ：Ｎ０２５）、黒星（★）は目的地４０５であり、分割地図７２内の太線は出発地から目的地までの経路の一部である。また、「Ｃ」と記載された正方形はコンビニエンスストア６０４を表している。端末装置１が分割地図情報に基づいて分割地図を表示することで、利用者は、誘導ポイントとなるノードを基準とした拡大地図を閲覧することが可能となる。
【００９０】
分割広告情報抽出部２６６は、経路情報作成部２６４が作成した経路情報及び分割地図情報作成部２６５が作成した分割地図情報に基づいて、広告情報記憶部２１１から、各分割地図情報に対応する広告情報を抽出する。各分割地図情報に対応する広告情報を抽出する際の方法として、例えば、基準ノードを基準とする方法及び中心地を基準とする方法が挙げられる。分割広告情報抽出部２６６は、ノード広告情報抽出部及び分割中心地広告情報抽出部を有しており、広告情報を抽出する際、いずれか１つの方法を適用することとしてもよいし、複数の方法を適用することとしてもよい。即ち、どの方法を適用するかは任意に設定することができる。
【００９１】
ノード広告情報抽出部は、具体的に、各分割地図情報に含まれる基準ノードの位置を示すノード座標情報に基づいて、広告基礎情報ＤＢ３６０の座標情報３６９を参照することにより、ノードから所定の範囲内（例えば、半径１００ｍ以内）の施設に対応する広告基礎情報３６１を抽出する。続いて、ノード広告情報抽出部は、抽出した広告基礎情報３６１が有する広告ＩＤ３６２に基づいて、広告画像関連情報ＤＢ３９０を参照することにより、当該広告ＩＤ３６２と一致する広告ＩＤ３９２を有する広告画像関連情報３９１を抽出する。さらに、ノード広告情報抽出部は、広告画像関連情報３９１が有する画像ファイル保存先情報３９３に基づいて、データ記憶装置１８の画像ファイル４１０から、対応する画像データを抽出する。つまり、ノード広告情報抽出部は、各分割地図情報に含まれる基準ノードの座標情報に基づいて、広告情報記憶部２１１から、基準ノードから所定の範囲内の施設に対応する広告情報を抽出する。具体的に図１１（ａ）の例では、基準ノード（ノードＩＤ：Ｎ０１２）から所定の範囲内であるコンビニエンスストア６０１及びレストラン６０２に対応する広告情報を抽出する。なお、所定の範囲は、任意に設定することができる。ノード広告情報抽出部は、本発明におけるノード広告情報抽出手段として機能する。
【００９２】
分割中心地広告情報抽出部は、具体的に、各分割地図情報に含まれる分割地図の中心地の位置を示す中心地座標情報に基づいて、広告基礎情報ＤＢ３６０の座標情報３６９を参照することにより、中心地から所定の範囲内（例えば、半径１００ｍ以内）の施設に対応する広告基礎情報３６１を抽出する。続いて、分割中心地広告情報抽出部は、抽出した広告基礎情報３６１が有する広告ＩＤ３６２に基づいて、広告画像関連情報ＤＢ３９０を参照することにより、当該広告ＩＤ３６２と一致する広告ＩＤ３９２を有する広告画像関連情報３９１を抽出する。さらに、分割中心地広告情報抽出部は、広告画像関連情報３９１が有する画像ファイル保存先情報３９３に基づいて、データ記憶装置１８の画像ファイル４１０から、対応する画像データを抽出する。つまり、分割中心地広告情報抽出部は、各分割地図情報に含まれる中心地の座標情報に基づいて、広告情報記憶部２１１から、中心地から所定の範囲内の施設に対応する広告情報を抽出する。具体的に図１１（ａ）の例では、中心地４１０から所定の範囲内であるレストラン６０２及びガソリンスタンド６０３に対応する広告情報を抽出する。なお、所定の範囲は、任意に設定することができる。分割中心地広告情報抽出部は、本発明における分割中心地広告情報抽出手段として機能する。
【００９３】
広告情報抽出部２６７は、経路情報作成部２６４が作成した経路情報に基づいて、広告情報記憶部２１１から対応する全ての広告情報を抽出する。経路情報に基づいて、広告情報記憶部から対応する全ての広告情報を抽出する方法は、上述の実施例と同様であるため便宜上説明は省略する。
【００９４】
付加広告情報抽出部２６８は、広告情報抽出部２６７が抽出した広告情報の中から、分割広告情報抽出手部２６６が抽出した１つの分割地図情報に対応する広告情報に関連する広告情報であって、且つ、他の分割地図情報に対応する広告情報を抽出する。具体的に図１１（ａ）の例において、分割広告情報抽出部２６６が、分割地図７１を示す分割地図情報に対応する広告情報としてコンビニエンスストア６０１に対応する広告情報を抽出したとする。この場合、付加広告情報抽出部２６８は、広告情報抽出部２６７が抽出した広告情報の中から、コンビニエンスストア６０１に関連する広告情報であって、且つ、他の分割地図情報（即ち、分割地図７１以外の分割地図を示す分割地図情報）に対応する広告情報として、分割地図７２を示す分割地図情報に対応するコンビニエンスストア６０４の広告情報を抽出する。付加情報抽出部２６８は、本発明における付加情報抽出手段として機能する。
【００９５】
付加情報作成部２６９は、付加広告情報抽出部２６８が抽出した広告情報に基づいて付加情報を作成する。付加情報とは、例えば「広告情報Ｘに関連する広告情報Ｙが分割地図Ｚにもあります」といった情報であって、具体的に図１１（ａ）の例において付加情報作成部２６９は、分割地図７１が示す分割地図情報に対応する付加情報として、「コンビニエンスストア６０１と同様のコンビニエンスストア６０４が分割地図７２にもあります」という情報を作成する。付加情報作成部２６９は、本発明における付加情報作成部２６９として機能する。
【００９６】
送信部２６９は、分割地図情報作成部２６５が作成した分割地図情報と、当該分割地図情報に対応する広告情報及び付加情報とを対応付けた広告情報ページを、ネットワーク２を介して、端末装置１に送信する。送信部２６９は、本発明における送信手段として機能する。
【００９７】
端末装置１は、表示部を備えており、広告情報提供サーバ３の送信部２１６から取得した分割地図情報と、当該分割地図情報に対応する広告情報及び付加情報とに基づいて、図１１に示すように、表示部に基準ノードを基準とした一部の経路と、当該経路に関連する広告及び当該広告に関連する付加情報とを含む広告情報ページを表示する。具体的に、端末装置１は、図１１（ａ）に示すように、分割地図情報に基づいて経路表示部６４に分割地図７１を表示する。また、広告情報に基づいて、分割地図７１に含まれる経路に関連するコンビニエンスストアＣ及びレストランＤに対応する広告を表示し、付加情報に基づいて、分割地図７２に含まれるコンビニエンスストアのコメント７０を広告表示部６３に表示する。
【００９８】
なお、広告情報に基づく広告を表示する際の優先順位を決定する方法は、上述の実施例と同様であるため便宜上説明は省略する。
【００９９】
次に、図１２を参照し、変形例による広告情報提供処理について説明する。図１２は、変形例による広告情報提供処理のフローチャートである。広告情報提供ユニット２５０は、広告情報提供サーバ３の構成要素により構成されるものであって、この広告情報提供処理は、図２に示すＣＰＵ１２がメモリ１３に記憶されたプログラムを実行することにより実現される。
【０１００】
利用者は、まず、端末装置１を使用して、入力パラメタとして出発地座標情報及び目的地座標情報を入力し、端末装置１はこれらの指定を受け取る（ステップＳ１１）。次に、端末装置１は、入力された出発地及び目的地に対応する出発地座標情報及び目的地座標情報を広告情報提供サーバ３へ送信するとともに、広告情報を含むページの送信要求を行う（ステップＳ１２）。
【０１０１】
広告情報提供ユニット２５０の出発地座標情報取得部２６２は端末装置１から出発地座標情報を取得し、目的地座標情報取得部２６３は目的地座標情報を取得する（ステップＳ１３）。続いて、経路情報作成部２６４は、出発地座標情報取得部２６２が取得した出発地座標情報、目的地座標情報取得部２６３が取得した目的地座標情報及び地図情報記憶部２６０に記憶されている地図情報に基づいて、出発地から目的地までの経路を示す経路情報を作成する（ステップＳ１４）。
【０１０２】
さらに、分割地図情報作成部２６５は、経路情報作成部２６４が作成した経路情報及び地図情報記憶部３６０に記憶されている地図情報に基づいて、経路の進行方向に沿って順番に基準となる基準ノードに基づく所定の範囲を切り出し、当該所定の範囲の分割地図を示す分割地図情報を作成する（ステップＳ１５）。続いて、分割広告情報抽出部２６６は、広告情報記憶部２６１から、分割地図情報作成部２６５が作成した各分割地図情報に対応する広告情報を抽出する（ステップＳ１６）。また、広告情報抽出部２６７は、経路情報作成部２６４が作成した経路情報に基づいて、広告情報記憶部２６１から、当該経路情報に対応する全ての広告情報を抽出する（ステップＳ１７）。
【０１０３】
そして、付加広告情報抽出部２６８は、広告情報抽出部２６７が抽出した広告情報の中から、分割広告情報抽出手段が抽出した広告情報に関連する広告情報であって、且つ、他の分割地図情報に対応する広告情報を抽出する（ステップＳ１８）。続いて、付加情報作成部２６９は、付加広告情報抽出部２６８が抽出した広告情報に基づいて付加情報を作成する（ステップＳ１９）。さらに、広告情報抽出部２６７は、分割地図情報と、当該分割地図情報に対応する広告情報及び付加情報とを対応付けた広告情報ページを作成する（ステップＳ２０）。
【０１０４】
送信部２７０は、分割地図情報と、当該分割地図情報に対応する広告情報及び付加情報とを対応付けた広告情報ページを、ネットワーク２を介して、端末装置１に送信する（ステップＳ２１）。
【０１０５】
端末装置１は、表示部を備えており、広告情報提供サーバ３の送信部２１６から取得した分割地図情報と、広告地図情報及び付加情報に基づいて、図１１に示すように、基準ノードを基準とした経路の一部と、当該経路に関連する広告及び当該広告に関連するコメントとを含むページを表示する（ステップＳ２２）。これにより、広告情報提供処理は完了する。
【０１０６】
なお、変形例では、付加情報に基づくコメントを表示することとしているが、本発明はこれに限定されるものではなく、必ずしも付加情報に基づくコメントを表示しなくてもよい。
【０１０７】
以上述べたように、変形例の広告情報提供サーバによれば、分割地図上であっても、経路全体の情報を活用して、経路に関連する広告及び付加的なコメントを表示することができる。
【産業上の利用可能性】
【０１０８】
本発明は、広告情報を提供する装置に利用することができる。
【図１】
2014102846.tif 000003
【図２】
2014102846.tif 000004
【図３】
2014102846.tif 000005
【図４】
2014102846.tif 000006
【図５】
2014102846.tif 000007
【図６】
2014102846.tif 000008
【図７】
2014102846.tif 000009
【図８】
2014102846.tif 000010
【図９】
2014102846.tif 000011
【図１０】
2014102846.tif 000012
【図１１】
2014102846.tif 000013
【図１２】
2014102846.tif 000014